(57)【特許請求の範囲】
【請求項１】
吸入空気がポート側へ流れるコレクター室が内部に形成され、該コレクター室内に境界壁により仕切られてＥＧＲガスが通るＥＧＲガス通路が形成されてなるインテークマニホールドのコレクター部において、前記境界壁には、外側より該境界壁を跨ぐようにドリル孔が形成されて、該ドリル孔により前記ＥＧＲガス通路を通るＥＧＲガスが前記コレクター室内を流れる吸入空気下流に吹き出される開口が形成され、該開口は、境界壁の上下方向をなす壁面に上面側よりドリル孔の深さを調整して所定開口幅に形成されていることを特徴とするインテークマニホールドのコレクター部構造。
【請求項２】
前記境界壁には、コレクター室内中央部側へ湾曲状に逆流防止壁部が形成され、該逆流防止壁部の下流側に前記開口が形成されていることを特徴とする請求項１に記載のインテークマニホールドのコレクター部構造。
【発明の詳細な説明】
【０００１】
【産業上の利用分野】
この発明は、インテークマニホールドのコレクター部の構造に関するものである。
【０００２】
【従来の技術及びその課題】
従来、図１０に示すように、インテークマニホールド１のポート部１ａの上流側にはコレクター部１ｂが設けられ、このコレクター部１ｂの内部には吸入空気が流れるコレクター室２が形成されており、このコレクター室２内には、境界壁３により区画されてＥＧＲガスの通るＥＧＲガス通路室４が一体形成されたものとなっており、このＥＧＲガス通路室４内を通るＥＧＲガスを、前記コレクター室２内を流れる吸入空気の下流側に吹き出させるために、コレクター部１ｂの上面側より加工上孔５１と加工下孔５２が貫通状に形成されて、この加工上孔５１と加工下孔５２内には図１２に拡大して示すように、円筒管５５が挿着されるものであり、この円筒管５５は、ガスケット５３を介在させてボルト５４を締め付けて固定され、この円筒管５５には前記ＥＧＲガス通路室４内で開口するガス入口５５ａと、また、コレクター室２内で開口するガス吹出口５５ｂが開口されたものとなっており、図１３に図１１におけるＡ−Ａ線断面拡大図で示すように、この円筒管５５の前記ガス入口５５ａからＥＧＲガスが内部に入り、ＥＧＲガスはガス吹出口５５ｂからコレクター室２内に吹き出されて、ＥＧＲガスがコレクター室２内を流れる吸入空気に混合されるように構成されている。なお、図１１において、４ａはＥＧＲガスの取入口である。
【０００３】
なお、従来、このように円筒管５５を設けたのは、もしこの円筒管５５が存在しないと、ＥＧＲガス通路室４から下側向きにＥＧＲガスが吹き出されるため、コレクター室２内の吸入空気の乱入の近くであるとＥＧＲガスが上流に吹き返されてしまうからであり、ＥＧＲガスが上流側へ吹き返されることなく吸入空気の流れに乗って良好に下流方向へ吹き出されるように、円筒管５５が設けられているのである。
このように従来においては、円筒管５５が必要であり、それを取り付けるために加工孔５１，５２を形成させ、かつボルト５４を締め付けるネジ孔も形成させる必要があり、さらにガスケット５３も必要で、全体のコストが高くなってしまうという問題点があった。
【０００４】
【課題を解決するための手段】
本発明は上記従来の問題点に鑑み案出したものであって、部品点数を削減してコストを低減させることのできるインテークマニホールドのコレクター部構造を提供せんことを目的とし、その第１の要旨は、吸入空気がポート側へ流れるコレクター室が内部に形成され、該コレクター室内に境界壁により仕切られてＥＧＲガスが通るＥＧＲガス通路が形成されてなるインテークマニホールドのコレクター部において、前記境界壁には、外側より該境界壁を跨ぐようにドリル孔が形成されて、該ドリル孔により前記ＥＧＲガス通路を通るＥＧＲガスが前記コレクター室内を流れる吸入空気下流に吹き出される開口が形成され、該開口は、境界壁の上下方向をなす壁面に上面側よりドリル孔の深さを調整して所定開口幅に形成されていることである。
また、第２の要旨は、前記境界壁には、コレクター室内中央部側へ湾曲状に逆流防止壁部が形成され、該逆流防止壁部の下流側に前記開口が形成されていることである。
【０００５】
【実施例】
以下、本発明の実施例を図面に基づいて説明する。
図１〜図３は第１実施例を示すものであり、図１は、インテークマニホールドのコレクター部の平面図を示し、また図２は、コレクター部内に形成された境界壁の要部拡大図を示し、また図３は、図２におけるＢ−Ｂ線断面図を示すものである。
【０００６】
図において、インテークマニホールドのポート部１ａの上流側に設けられたコレクター部１ｂ内には、吸入空気の流れるコレクター室２が形成されており、このコレクター室２内には、境界壁３に区画されてＥＧＲガスの通るＥＧＲガス通路室４が形成されており、ＥＧＲガス通路室４の上流端にはＥＧＲガスを取り入れる取入口４ａが開口されている。
【０００７】
本例においては、ＥＧＲガス通路室４を形成する境界壁３の側面壁３ａに連続状に、前記コレクター室２の中央側へ湾出状に逆流防止壁部３ｂが一体形成されており、図２に示すように、この逆流防止壁部３ｂはＵ字状に形成されて下流端壁３ｃに連続しており、下流端壁３ｃが前記コレクター室２を形成するコレクターの側面壁１ｂａに連続されたものとなっている。
【０００８】
また、図３に示すように、下流端壁３ｃの下端側には水平方向に境界壁の底面壁３ｄが連続しており、さらに底面壁３ｄから下方側へ垂下状に落とし込み垂下壁３ｅが形成されており、この落とし込み垂下壁３ｅの底は溝底壁３ｆとなっている。
図３に示すように、前記コレクター部１ｂの上面壁１ｂｂに上方よりドリルＤで上孔Ｄａを開け、さらにドリルＤを下方側へ移動させて、ドリルＤで前記境界壁の底面壁３ｄの一部と落とし込み垂下壁３ｅを跨ぐようにしてドリル孔を形成させ、ドリル孔により開口Ｄｂを開設することができ、この開口Ｄｂを通り図３の矢印で示すように、ＥＧＲガス通路室４内のＥＧＲガスが、コレクター室２内を流れる吸入空気の流れ方向と同方向に吹き出されて、吸入空気の下流側に混入されるものであり、良好に吸入空気の流れに乗るためにＥＧＲガスが上流側に吹き返されることはなく、また、本例では、逆流防止壁部３ｂが形成されているため、さらに確実にＥＧＲガスの上流側への逆流を防ぐことができ、しかも、逆流防止壁部３ｂに沿ってＥＧＲガスはコレクター室２の中央部側へ流されて吸入空気の流れの中央部にＥＧＲガスが乗り、良好に分散することができるものとなり、ＥＧＲガスが良好に各ポート部１ａ，１ａ，１ａに分配されることとなる。
【０００９】
なお、開口Ｄｂから吹き出されるＥＧＲガスの流量は開口Ｄｂの開口幅で決まるが、前述したドリルＤによるドリル孔の深さを調整することにより簡単に開口Ｄｂの開口幅を変えることができるものであり、ドリルＤを溝底壁３ｆ近傍まで深く押し下げてドリル孔を形成させれば、開口Ｄｂの開口幅は大となり、ドリルＤを溝底壁３ｆから遠ざかる上方位置で止めれば開口Ｄｂの開口幅は狭いものとなる。
【００１０】
このように本例では、境界壁３の一部を形成する落とし込み垂下壁３ｅに対し上方よりドリルＤによりドリル孔を形成させて、ＥＧＲガスの吹き出される開口Ｄｂを良好に吸入空気の流れ方向の下流側へ向けて開口させることができ、従来のような円筒管５５とかボルト５４とかガスケット５３が不要となり、コストを低減させることができるものとなる。
なお、前記ドリルＤにより形成されたコレクター部の上面壁１ｂｂの上孔Ｄａには、盲プラグ５を気密状に嵌め込んで容易に密封することができるものである。
【００１１】
次に、図４〜図６は第２実施例を示すものであり、図４は、コレクター部の平面図であり、図５は、境界壁の要部拡大図であり、図６は、図５のＰ−Ｐ線断面図である。
【００１２】
本例においても、ＥＧＲガス通路室４を形成する境界壁３の側面壁３ａに、コレクター室２の中央側へ湾出する逆流防止壁３ｂが一体形成されており、この逆流防止壁３ｂから下流端壁３ｃに至る部分の上下方向をなす境界壁３の壁面に、図６に示すように、上方よりドリルＤでドリル孔を形成させて、ドリルＤの深さを調節して、適当なＥＧＲガスの流量が得られるように開口Ｄｂを境界壁に形成させたものであり、本例では、逆流防止壁３ｂの下流側の下流端壁３ｃの一部に直接、上方側からドリルＤにより開口Ｄｂを形成させたもので、この開口Ｄｂを通りＥＧＲガス通路室４からＥＧＲガスが、コレクター室２内を流れる吸入空気の流れ方向に沿って吹き出されて、良好に吸入空気内にＥＧＲガスが分配されるものであり、コレクター室２の中央側で開口Ｄｂが開口されているため良好にＥＧＲガスが全体に分配されることとなり、吹き出されるＥＧＲガスは良好に吸入空気の流れに乗ることができるため、ＥＧＲガスが上流側へ吹き返されることがなく、また、逆流防止壁３ｂにより確実に逆流を防ぐことができるものとなる。
【００１３】
次に、図７〜図９は第３実施例を示すものであり、図７は、コレクター部の平面図、また図８は、境界壁の要部拡大図であり、図９は、図８のＣ−Ｃ線断面図である。
【００１４】
本例では、ＥＧＲガス通路室４を形成する境界壁３に、コレクター室２の中央部に向かってＬ字状に突出する逆流防止壁部３ｇを形成したものであり、境界壁の側面壁３ａからＬ字状にこの逆流防止壁部３ｇが突出形成されて、この逆流防止壁部３ｇの下流側の前記境界壁の側面壁３ａに、図９に示すように、上面側からドリルＤによりドリル孔が形成されて、ドリル孔の深さが適宜調整されて側面壁３ａに開口Ｄｂが形成されたものであり、この開口ＤｂからＥＧＲガスが逆流防止壁部３ｇにガイドされてコレクター室内を流れる吸入空気の流れ方向に沿って吹き出され、良好に吸入空気の流れにＥＧＲガスが乗るように構成されており、本例においても、ＥＧＲガスが逆流することがなく、良好にＥＧＲガスが吸入空気内に分散されるものであり、ドリル孔の深さを調節することにより開口Ｄｂの開口幅を適宜調節して、吹き出されるＥＧＲガスの流量を最適なものに設定することができるものである。
なお、開口Ｄｂの開口幅の調整は、ドリルＤによるドリル孔が境界壁の底面壁３ｄに達しない程度の深さ範囲で調整される。また、コレクター上面壁１ｂｂの上孔Ｄａは盲プラグ５を嵌め込んで密封されるものである。
【００１５】
【発明の効果】
本発明は、吸入空気がポート側へ流れるコレクター室が内部に形成され、該コレクター室内に境界壁により仕切られてＥＧＲガスが通るＥＧＲガス通路が形成されてなるインテークマニホールドのコレクター部において、前記境界壁には、外側より該境界壁を跨ぐようにドリル孔が形成されて、該ドリル孔により前記ＥＧＲガス通路を通るＥＧＲガスが前記コレクター室内を流れる吸入空気下流に吹き出される開口が形成され、該開口は、境界壁の上下方向をなす壁面に上面側よりドリル孔の深さを調整して所定開口幅に形成されていることにより、境界壁の一部に直接ドリル孔を形成させてＥＧＲガスの吹き出る開口を良好に形成させることができ、ＥＧＲガスを良好にコレクター室内を流れる吸入空気の下流側に吹き出して吸入空気に乗せることができ、ＥＧＲガスの吹き返しをなくしてＥＧＲガスを良好に吸入空気中に分散させることができ、従来のような円筒管とかガスケット等が不要となり、部品点数が削減され、製造が容易でコストを低減させることができる。また、ドリル孔の深さを調整することにより開口幅を容易に設定でき、吹き出されるＥＧＲガスの流量を容易に設定できる効果を有する。
【００１６】
また、前記境界壁には、コレクター室内中央部側へ湾曲状に逆流防止壁部が形成され、該逆流防止壁部の下流側に前記開口が形成されていることにより、逆流防止壁に沿ってＥＧＲガスをコレクター室の中央側へ吹き出させることができ、ＥＧＲガスを良好に吸入空気の流れ内に分散させることができるものとなり、また、逆流防止壁により確実にＥＧＲガスの逆流を防ぐことができるものとなる。
【図面の簡単な説明】
【図１】  第１実施例のコレクター部の平面構成図である。
【図２】  図１の境界壁の要部拡大図である。
【図３】  図２のＢ−Ｂ線断面図である。
【図４】  第２実施例のコレクター部の平面構成図である。
【図５】  図４の境界壁の要部拡大構成図である。
【図６】  図５のＰ−Ｐ線断面図である。
【図７】  第３実施例のコレクター部の平面構成図である。
【図８】  図７の境界壁の要部拡大構成図である。
【図９】  図８のＣ−Ｃ線断面図である。
【図１０】  従来のインテークマニホールドの縦断面図である。
【図１１】  図１０の平面構成図である。
【図１２】  円筒管を嵌め込んだ状態の要部拡大図である。
【図１３】  図１１のＡ−Ａ線断面拡大図である。
【符号の説明】
１  インテークマニホールド
１ａ  ポート部
１ｂ  コレクター部
１ｂａ  コレクター部の側面壁
１ｂｂ  コレクター部の上面壁
２  コレクター室
３  境界壁
３ａ  境界壁の側面壁
３ｂ  逆流防止壁部
３ｃ  下流端壁
３ｄ  境界壁の底面壁
３ｅ  落とし込み垂下壁
３ｆ  溝底壁
４  ＥＧＲガス通路室
４ａ  ＥＧＲガス取入口
５  盲プラグ
Ｄ  ドリル
Ｄａ  上孔
Ｄｂ  開口（ドリル孔）
【図１】
0003806890.tif 000002
【図２】
0003806890.tif 000003
【図３】
0003806890.tif 000004
【図４】
0003806890.tif 000005
【図５】
0003806890.tif 000006
【図６】
0003806890.tif 000007
【図７】
0003806890.tif 000008
【図８】
0003806890.tif 000009
【図９】
0003806890.tif 000010
【図１０】
0003806890.tif 000011
【図１１】
0003806890.tif 000012
【図１２】
0003806890.tif 000013
【図１３】
0003806890.tif 000014